(57)【要約】【課題】ユーザが画像処理のための項目設定に用いられる通常画面と簡易画面とを直感的に切り替えられるようにすること。【解決手段】画像処理装置１及び画像処理装置１の操作部として機能するモバイル端末２を含む画像処理システムであって、モバイル端末２に表示されている画面に対する操作を受け付ける操作受付部２３１と、画像処理装置１の動作に際して設定するべき複数の設定項目が表示された通常画面及び通常画面に表示された複数の設定項目の一部が表示された簡易画面をモバイル端末２に表示させるとともに、画面に対する操作に応じて、モバイル端末２の表示を切り替える表示切替部２３４とを含み、表示切替部２３４は、予め定められた操作であって画面上の座標を限定することなく定められた操作を、操作受付部２３１が受け付けた場合に、通常画面と簡易画面とを切り替えることを特徴とする。【選択図】図５
2014175918.tif 000002
【特許請求の範囲】
【請求項１】
画像処理装置及び前記画像処理装置の操作部として機能する情報処理端末を含む画像処理システムであって、
前記情報処理端末の表示部に表示されている画面に対する操作を受け付ける操作受付部と、
前記画像処理装置の動作に際して設定するべき複数の設定項目が表示された通常画面及び前記通常画面に表示された複数の設定項目の一部が表示された簡易画面を前記表示部に表示させるとともに、前記画面に対する操作に応じて、前記表示部の表示を切り替える表示切替部と
を含み、
前記表示切替部は、予め定められた操作であって前記画面上の座標を限定することなく定められた操作を、前記操作受付部が受け付けた場合に、前記通常画面と前記簡易画面とを切り替える
ことを特徴とする画像処理システム。
【請求項２】
前記表示切替部は、前記予め定められた操作と、前記通常画面及び前記簡易画面のいずれかへの切り替え動作とが関連付けられた情報に基づき、前記画面に対する操作に応じて前記通常画面と前記簡易画面とを切り替える
ことを特徴とする請求項１に記載の画像処理システム。
【請求項３】
前記表示切替部は、前記通常画面及び前記簡易画面のうち、前記表示部に表示されている画面へ切り替えるための操作を、前記操作受付部が受け付けた場合に、前記表示部に表示されている画面に含まれる前記設定項目の値を初期化する
ことを特徴とする請求項１又は２に記載の画像処理システム。
【請求項４】
前記予め定められた操作は、前記画面上で指定された２点の位置の間隔を広げるように前記２点の位置を移動させる操作及び前記画面上で指定された２点の位置の間隔を狭めるように前記２点の位置を移動させる操作である
ことを特徴とする請求項１〜３のいずれかに記載の画像処理システム。
【請求項５】
情報処理端末を画像処理装置の操作部として用いるための制御方法であって、
前記画像処理装置の動作に際して設定するべき複数の設定項目が表示された通常画面及び前記通常画面に表示された複数の設定項目の一部が表示された簡易画面を前記情報処理端末の表示部に表示させ、
前記表示部に表示されている画面に対する操作を受け付け、
予め定められた操作であって前記画面上の座標を限定することなく定められた操作を受け付けた場合に、前記通常画面と前記簡易画面とを切り替える
ことを特徴とする制御方法。
【請求項６】
情報処理端末を画像処理装置の操作部として用いるための制御プログラムであって、
前記画像処理装置の動作に際して設定するべき複数の設定項目が表示された通常画面及び前記通常画面に表示された複数の設定項目の一部が表示された簡易画面を前記情報処理端末の表示部に表示させるステップと、
前記表示部に表示されている画面に対する操作を受け付けるステップと、
予め定められた操作であって前記画面上の座標を限定することなく定められた操作を受け付けた場合に、前記通常画面と前記簡易画面とを切り替えるステップと
を情報処理装置に実行させることを特徴とする制御プログラム。
【発明の詳細な説明】
【技術分野】
【０００１】
本発明は、画像処理システム、制御方法及び制御プログラムに関し、特に、画像処理装置の操作画面の制御に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
他方、近年、携帯電話が高機能化され、ＰＣに準じた情報処理機能を有するスマートフォンやタブレット端末のような携帯型の情報処理装置（以降、「携帯端末」とする）の普及が進んでいる。このような携帯端末は、画面上の任意の位置における指やタッチペンなどの動きを示すジェスチャー操作（例えば、ピンチアウトやピンチイン）を認識するので、ユーザは、携帯端末に対して、ピンチアウトによる表示画面の拡大や、ピンチインによる表示画面の縮小等の処理を直感的に要求することができる。
【０００４】
このようなジェスチャー操作を受け入れるタッチパネルを有する画像処理装置において、ユーザがジェスチャー操作を好む場合に、画像処理の際に用いられる設定項目の表示画面を、ジェスチャー操作しやすいようカスタマイズする方法が提案されている（例えば、特許文献１参照）。
【発明の概要】
【発明が解決しようとする課題】
【０００５】
ここで、画像処理装置に表示されている画面に対する操作は、画面の拡大や縮小だけでなく、画像処理装置の動作に際して設定するべき複数の設定項目（例えば、コピーにおけるカラー設定や倍率設定）が表示される画面（以降、「通常画面」とする）から通常画面に表示される複数の設定項目の一部が表示される画面（以降、「簡易画面」とする）への切り替えや簡易画面から通常画面への切り替え等も含まれる。一般的な画像処理装置では、通常画面と簡易画面とを切り替えるために必要なボタンの場所を把握して操作する必要があり、画像処理装置の操作に不慣れなユーザには、切替操作が困難な場合がある。
【０００６】
そこで、ユーザが通常画面と簡易画面とを直感的に切り替えられるようにすることが求められる。しかしながら、直感的な入力を可能にするジェスチャー操作を受け入れるタッチパネルを有する画像処理装置や、画像処理装置を操作するためのタッチパネルとして上述の携帯端末を利用する場合であっても、ユーザが通常画面と簡易画面とを直感的に切り替えることは従来考慮されていない。
【０００７】
本発明は、このような課題を解決するためになされたものであり、ユーザが通常画面と簡易画面とを直感的に切り替えられるようにすることを目的とする。
【課題を解決するための手段】
【０００８】
上記課題を解決するために、本発明の一態様は、画像処理装置及び前記画像処理装置の操作部として機能する情報処理端末を含む画像処理システムであって、前記情報処理端末の表示部に表示されている画面に対する操作を受け付ける操作受付部と、前記画像処理装置の動作に際して設定するべき複数の設定項目が表示された通常画面及び前記通常画面に表示された複数の設定項目の一部が表示された簡易画面を前記表示部に表示させるとともに、前記画面に対する操作に応じて、前記表示部の表示を切り替える表示切替部とを含み、前記表示切替部は、予め定められた操作であって前記画面上の座標を限定することなく定められた操作を、前記操作受付部が受け付けた場合に、前記通常画面と前記簡易画面とを切り替えることを特徴とする。
【０００９】
また、本発明の他の態様は、情報処理端末を画像処理装置の操作部として用いるための制御方法であって、前記画像処理装置の動作に際して設定するべき複数の設定項目が表示された通常画面及び前記通常画面に表示された複数の設定項目の一部が表示された簡易画面を前記情報処理端末の表示部に表示させ、前記表示部に表示されている画面に対する操作を受け付け、予め定められた操作であって前記画面上の座標を限定することなく定められた操作を受け付けた場合に、前記通常画面と前記簡易画面とを切り替えることを特徴とする。
【００１０】
また、本発明の更に他の態様は、情報処理端末を画像処理装置の操作部として用いるための制御プログラムであって、前記画像処理装置の動作に際して設定するべき複数の設定項目が表示された通常画面及び前記通常画面に表示された複数の設定項目の一部が表示された簡易画面を前記情報処理端末の表示部に表示させるステップと、前記表示部に表示されている画面に対する操作を受け付けるステップと、予め定められた操作であって前記画面上の座標を限定することなく定められた操作を受け付けた場合に、前記通常画面と前記簡易画面とを切り替えるステップとを情報処理装置に実行させることを特徴とする。
【発明の効果】
【００１１】
本発明によれば、ユーザが通常画面と簡易画面とを直感的に切り替えることができる。
【図面の簡単な説明】
【００１２】
【図１】本発明の実施形態に係るシステムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るモバイル端末の機能構成を示すブロック図である。
【図５】本発明の実施形態に係るモバイル制御部の機能構成を示す図である。
【図６】本発明の実施形態に係る操作設定情報の例を示す図である。
【図７】本発明の実施形態に係る表示切替部の動作を示すフローチャートである。
【図８】本発明の実施形態に係る通常画面の例を示す図である。
【図９】本発明の実施形態に係る簡易画面の例を示す図である。
【図１０】本発明の実施形態に係る操作設定情報の例を示す図である。
【図１１】本発明の実施形態に係る表示切替部の動作を示すフローチャートである。
【発明を実施するための形態】
【００１３】
以下、図面を参照して、本発明の実施形態を詳細に説明する。本実施形態においては、スマートフォンやタブレット端末等のモバイル機器を介して画像処理装置を操作するシステムを例として説明する。
【００１４】
図１は、本実施形態に係る画像処理システムの運用形態の例を示す図である。図１に示すように、本実施形態に係る画像処理システムは、画像処理装置１及びモバイル端末２が、互いに通信可能に接続されて構成されている画像処理装置の制御システムである。
【００１５】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、モバイル端末２は、スマートフォン、タブレット端末、ＰＤＡ（Ｐｅｒｓｏｎａｌ  Ｄｉｇｉｔａｌ  Ａｓｓｉｓｔａｎｔｓ）等の可搬型の情報処理端末である。本実施形態に係るモバイル端末２は、画像処理装置１とは独立して制御される情報処理端末であり、例えば、画像処理装置１と有線接続又は無線接続されたり、画像処理装置１を提供するメーカーやサードパーティによって提供されているアプリケーション・プログラムがインストールされたりすることにより、画像処理装置１を操作するための操作パネルとして機能する。
【００１６】
次に、本実施形態に係る画像処理システムに含まれる画像処理装置１及びモバイル端末２等の情報処理装置を構成するハードウェアについて説明する。図２は、本実施形態に係る情報処理装置のハードウェア構成を示すブロック図である。図２に示すように、本実施形態に係る情報処理装置は、一般的なサーバやＰＣ（Ｐｅｒｓｏｎａｌ  Ｃｏｍｐｕｔｅｒ）等と同様の構成を含む。
【００１７】
即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００１８】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００１９】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが情報処理装置に情報を入力するためのユーザインタフェースである。なお、本実施形態に係るシステムにおいては、モバイル端末２が画像処理装置１の操作パネルとして機能する。従って、画像処理装置１に直接接続されるＬＣＤ６０や操作部７０等のユーザインタフェースは省略することが可能である。
【００２０】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２１】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、有線通信Ｉ／Ｆ１８０及び無線通信Ｉ／Ｆ１９０を有する。
【００２２】
また、コントローラ１００は、主制御部１０１、エンジン制御部１０２、通信制御部１０３、画像処理部１０４及び操作表示制御部１０５を有する。図３に示すように、本実施形態に係る画像処理装置１は、スキャナユニット１２０、プリントエンジン１６０を有する複合機として構成されている。なお、図３においては、電気的接続を実線の矢印で示しており、用紙の流れを破線の矢印で示している。
【００２３】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ディスプレイパネル１４０は、図２において説明したＬＣＤ６０及び操作部７０によって実現されるが、上述したようにモバイル端末２のみを画像処理装置１のユーザインタフェースとし、ディスプレイパネル１４０は省略することが可能である。
【００２４】
有線通信Ｉ／Ｆ１８０は、画像処理装置１が有線通信により他の機器と通信するためのインタフェースであり、Ｅｔｈｅｒｎｅｔ（登録商標）やＵＳＢインタフェースが用いられる。無線通信Ｉ／Ｆ１９０は、画像処理装置１が無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。画像処理装置１は、有線通信Ｉ／Ｆ１８０若しくは無線通信Ｉ／Ｆ１９０を用いてモバイル端末２との間で情報をやり取りする。
【００２５】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路等のハードウェアとによってコントローラ１００が構成される。コントローラ１００は、画像処理装置１全体を制御する制御部として機能する。
【００２６】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。通信制御部１０３は、有線通信Ｉ／Ｆ１８０、無線通信Ｉ／Ｆ１９０を介して入力される信号や命令を主制御部１０１に入力する。また、主制御部１０１は、通信制御部１０３を制御し、有線通信Ｉ／Ｆ１８０や無線通信Ｉ／Ｆ１９０を介してモバイル端末２等の他の装置にアクセスする。
【００２７】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくは有線通信Ｉ／Ｆ１８０や無線通信Ｉ／Ｆ１９０を介して他の機器に送信される情報である。操作表示制御部１０５は、ディスプレイパネル１４０に情報表示を行い若しくはディスプレイパネル１４０を介して入力された情報を主制御部１０１に通知する。
【００２８】
なお、プリンタ機能のみを有する画像処理装置の場合、図３に示すＡＤＦ１１０、スキャナユニット１２０及び排紙トレイ１３０が省略されると共に、エンジン制御部１０２の機能から、ＡＤＦ１１０、スキャナユニット１２０及び排紙トレイ１３０を制御するための機能が省略される。
【００２９】
画像処理装置１がプリンタとして動作する場合は、まず、通信制御部１０３が有線通信Ｉ／Ｆ１８０や無線通信Ｉ／Ｆ１９０を介して印刷ジョブを受信する。この印刷ジョブは、画像処理装置１に対してプリントアウトを依頼する情報処理装置において生成された情報である。そして、印刷ジョブには、印刷ジョブであることを示すヘッダー情報、出力するべき画像の情報及びプリントアウトに際して設定されるべきパラメータの情報を含む。
【００３０】
通信制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００３１】
画像処理装置１がスキャナとして動作する場合は、ユーザによるディスプレイパネル１４０の操作若しくは有線通信Ｉ／Ｆ１８０や無線通信Ｉ／Ｆ１９０を介して外部の機器から入力されるスキャン実行指示に応じて、操作表示制御部１０５若しくは通信制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３２】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくは有線通信Ｉ／Ｆ１８０、無線通信Ｉ／Ｆ１９０を介して、通信制御部１０３により外部の装置に送信される。
【００３３】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３４】
次に、本実施形態に係るモバイル端末２の機能構成について、図４を参照して説明する。図４に示すように、本実施形態に係るモバイル端末２は、図２において説明したＬＣＤ６０、操作部７０に加えて、コントローラ２００、有線通信Ｉ／Ｆ２１０及び無線通信Ｉ／Ｆ２２０を含む。また、コントローラ２００は、通信制御部２０１、操作制御部２０２、表示制御部２０３及びモバイル制御部２３０を含む。
【００３５】
有線通信Ｉ／Ｆ２１０は、モバイル端末２がネットワークを介して他の機器と通信するためのインタフェースであり、Ｅｔｈｅｒｎｅｔ（登録商標）やＵＳＢ等のインタフェースが用いられる。無線通信Ｉ／Ｆ２２０は、モバイル端末２が無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。有線通信Ｉ／Ｆ２１０、無線通信Ｉ／Ｆ２２０は、図２に示すＩ／Ｆ５０によって実現される。
【００３６】
コントローラ２００は、ソフトウェアとハードウェアとの組み合わせによって構成される。コントローラ２００は、モバイル端末２全体を制御する制御部である。通信制御部２０１は、有線通信Ｉ／Ｆ２１０を介して入力される情報を取得すると共に、有線通信Ｉ／Ｆ２１０を介して他の機器に情報を送信する。また、通信制御部２０１は、無線通信Ｉ／Ｆ２２０を介して入力される情報を取得すると共に、無線通信Ｉ／Ｆ２２０を介して他の機器に情報を送信する。
【００３７】
操作制御部２０２は、操作部７０に対するユーザによる操作内容の信号を取得し、モバイル制御部２３０等のモバイル端末２において動作するモジュールに入力する。表示制御部２０３は、モバイル制御部２３０のＧＵＩ（Ｇｒａｐｈｉｃａｌ  Ｕｓｅｒ  Ｉｎｔｅｒｆａｃｅ）等、モバイル端末２の状態をモバイル端末２の表示部であるＬＣＤ６０に表示させる。
【００３８】
モバイル制御部２３０は、コントローラ２００において各部に命令を与えることによりモバイル端末２全体の動作を制御する。モバイル制御部２３０は、ＯＳ等の基本ソフトウェア、ミドルウェア及び各種のアプリケーションによって構成される。本実施形態に係るモバイル制御部２３０に含まれる機能のうち、モバイル端末２に表示される通常画面及び簡易画面の切り替えを制御する機能が、本実施形態の要旨に係る機能である。
【００３９】
次に、モバイル制御部２３０に含まれる機能のうち、モバイル端末２に表示される通常画面及び簡易画面の切り替えを制御する機能について、図５を参照して説明する。図５に示すように、本実施形態に係るモバイル制御部２３０は、操作受付部２３１、画面情報取得部２３２、操作設定情報記憶部２３３及び表示切替部２３４を含む。
【００４０】
操作受付部２３１は、操作制御部２０２から入力された操作内容の信号を受け付けて、表示切替部２３４に対して出力する。画面情報取得部２３２は、現時点においてＬＣＤ６０に表示されている画面情報（通常画面又は簡易画面）を取得し、表示切替部２３４に対して出力する。
【００４１】
図６は、操作設定情報記憶部２３３が記憶する操作設定情報の例を示す図である。操作設定情報は、モバイル端末２に表示され得る通常画面及び簡易画面それぞれに対して、予め定められたジェスチャー操作が行われた場合の動作内容を示す。例えば、図６に示すように、モバイル端末２に表示されている通常画面（現在の画面）に対してピンチアウト操作が行われると、簡易画面への切り替え操作が行われるよう設定されている。
【００４２】
なお、ピンチアウト操作とは、２本の指で画面上の２点をそれぞれタッチして位置（座標）を指定し、タッチした位置の間隔を広げるように動かす操作を示す。このような操作は、例えば画面を拡大表示する際に用いられる。タッチした位置の間隔が広げられる操作に従って画面が拡大されるため、ユーザにとって直感的な操作となる。
【００４３】
表示切替部２３４は、操作設定情報記憶部２３３に記憶されている操作設定情報を参照して、操作受付部２３１から入力された操作内容の信号及び画面情報取得部２３２から入力された画面情報に応じた動作内容を特定する。また、表示切替部２３４は、特定した動作内容に従って、表示制御部２０３にＬＣＤ６０を制御させることにより、モバイル端末２に表示されている画面を切り替えさせる（詳細は図７を参照して後述）。
【００４４】
また、表示切替部２３４は、画面を切り替える際、切り替え前の画面上で設定されていた設定項目の内容をそのまま引き継いで切り替え後の画面に表示させる。また、通常画面から簡易画面への切り替えの場合、表示切替部２３４は、通信制御部２０１に、有線通信Ｉ／Ｆ２１０又は無線通信Ｉ／Ｆ２２０を介して画像処理装置１に対して設定項目の初期化命令を送信させて、簡易画面に表示されていない設定項目を初期化させる。
【００４５】
次に、図６に示した操作設定情報に基づく表示切替部２３４の動作を説明する。図７は、図６に示した操作設定情報に基づく表示切替部２３４の動作を示すフローチャートである。Ｓ７０１において、表示切替部２３４は、操作受付部２３１から操作内容の信号を取得する。Ｓ７０２において、表示切替部２３４は、画面情報取得部２３２から画像情報を取得する。
【００４６】
Ｓ７０３において、表示切替部２３４は、Ｓ７０１において取得したジェスチャー操作がピンチアウト操作であるか否かを判定する。表示切替部２３４は、ピンチアウト操作であると判定した場合、Ｓ７０４の処理に進み、それ以外の場合、Ｓ７０６の処理に進む。
【００４７】
Ｓ７０４において、表示切替部２３４は、Ｓ７０２において取得した画面情報が通常画面であるか否かを判定する。表示切替部２３４は、通常画面であると判定した場合、Ｓ７０５の処理に進み、それ以外の場合、処理を終了する。Ｓ７０５おいて、表示切替部２３４は、モバイル端末２に表示されている画面を、通常画面から簡易画面へ切り替える。ここでは、図６に示した操作設定情報のうち、通常画面に対してピンチアウト操作が行われた場合に、簡易画面への切替操作を行うことに対応する。
【００４８】
図８は、画像処理装置１によりコピーを行うために設定される複数の設定項目を表示する通常画面の例を示す図である。図８に示すように、ハッチング表示されている設定項目（「白黒カラー」、「文字」等）が、コピーを行うために選択された設定項目である。図９は、通常画面に表示される複数の設定項目の一部を表示する簡易画面の例を示す図である。
【００４９】
例えば、Ｓ７０５において、表示切替部２３４は、表示制御部２０３にＬＣＤ６０を制御させて、モバイル端末２に表示されている画面を、図８に示す通常画面から図９に示す簡易画面に切り替えさせる。また、表示画面が通常画面から簡易画面に切り替えられた場合、簡易画面にも表示されている「白黒カラー」、「自動用紙選択」及び「等倍」の設定項目は選択された状態で表示され、簡易画面に表示されていない「文字」及び「ステープル」の設定項目は、初期値として選択されている設定項目にリセット（初期化）される（例えば、「ステープル」は「ソート」が選択された状態にリセットされる）。
【００５０】
Ｓ７０６において、表示切替部２３４は、Ｓ７０１において取得したジェスチャー操作がピンチイン操作であるか否かを判定する。表示切替部２３４は、ピンチイン操作であると判定した場合、Ｓ７０７の処理に進み、それ以外の場合、図６に示した操作設定情報に定められたジェスチャー操作以外の操作であるので、処理を終了する。
【００５１】
なお、ピンチイン操作とは、２本の指で画面上の２点をそれぞれタッチして位置（座標）を指定し、タッチした位置の間隔を狭めるように動かす操作を示す。このような操作は、例えば画面を縮小表示する際に用いられる。タッチした位置の間隔が狭められる操作に従って画面が縮小されるため、ユーザにとって直感的な操作となる。
【００５２】
Ｓ７０７において、表示切替部２３４は、Ｓ７０２において取得した画面情報が簡易画面であるか否かを判定する。表示切替部２３４は、簡易画面であると判定した場合、Ｓ７０８の処理に進み、それ以外の場合、処理を終了する。Ｓ７０８において、表示切替部２３４は、モバイル端末２に表示されている画面を、簡易画面から通常画面へ切り替える。ここでは、図６に示した操作設定情報のうち、簡易画面に対してピンチイン操作が行われた場合に、通常画面への切替操作を行うことに対応する。
【００５３】
例えば、Ｓ７０８において、表示切替部２３４は、表示制御部２０３にＬＣＤ６０を制御させて、モバイル端末２に表示されている画面を、図９に示す簡易画面から図８に示す通常画面に切り替えさせる。
【００５４】
このような処理により、本実施形態に係る通常画面と簡易画面との切り替え動作が実現される。本実施形態においては、一般的に画面を拡大／縮小させるための操作であるピンチアウト／ピンチイン操作によって通常画面と簡易画面との切り替えが行われる。画面を拡大／縮小させるための操作は、換言すると表示状態が広範囲な状態と詳細な状態とを切り替える操作である。そのような操作を通常画面と簡易画面との切り替え動作に適用することにより、ユーザにとって直感的な操作を提供することが可能となる。
【００５５】
上記実施形態においては、予め定められたジェスチャー操作による通常画面と簡易画面との切替操作が操作設定情報に含まれる場合を例として説明したが、ジェスチャー操作に応じた他の動作内容が含まれてもよい。図１０は、図６に示した動作内容に加えて、通常画面及び簡易画面に対して予め定められたジェスチャー操作が行われた場合に、設定されている設定項目をリセットする動作内容を含む操作設定情報の例を示す図である。
【００５６】
例えば、図１０に示すように、モバイル端末２に表示されている簡易画面（現在の画面）に対してピンチアウト操作が行われると、簡易画面において設定されているすべての設定項目がリセットされるよう設定されている。
【００５７】
次に、図１０に示した操作設定情報に基づく表示切替部２３４の動作を説明する。図１１は、図１０に示した操作設定情報に基づく表示切替部２３４の動作を示すフローチャートである。Ｓ１１０１及びＳ１１０２において、表示切替部２３４は、それぞれ図７に示したＳ７０１及びＳ７０２と同様の処理を行う。
【００５８】
Ｓ１１０３において、表示切替部２３４は、Ｓ１１０１において取得したジェスチャー操作がピンチアウト操作であるか否かを判定する。表示切替部２３４は、ピンチアウト操作であると判定した場合、Ｓ１１０４の処理に進み、それ以外の場合、Ｓ１１０６の処理に進む。
【００５９】
Ｓ１１０４において、表示切替部２３４は、Ｓ１１０２において取得した画面情報が通常画面であるか否かを判定する。表示切替部２３４は、通常画面であると判定した場合、Ｓ１１０５の処理に進み、それ以外の場合（つまり、簡易画面である場合）、Ｓ１１０９の処理に進む。
【００６０】
Ｓ１１０５において、表示切替部２３４は、モバイル端末２に表示されている画面を、通常画面から簡易画面へ切り替える。ここでは、図１０に示した操作設定情報のうち、通常画面に対してピンチアウト操作が行われた場合に、簡易画面への切替操作を行うことに対応する。
【００６１】
Ｓ１１０６において、表示切替部２３４は、Ｓ１１０１において取得したジェスチャー操作がピンチイン操作であるか否かを判定する。表示切替部２３４は、ピンチイン操作であると判定した場合、Ｓ１１０７の処理に進み、それ以外の場合、図１０に示した操作設定情報に定められたジェスチャー操作以外の操作であるので、処理を終了する。
【００６２】
Ｓ１１０７において、表示切替部２３４は、Ｓ１１０２において取得した画面情報が簡易画面であるか否かを判定する。表示切替部２３４は、簡易画面であると判定した場合、Ｓ１１０８の処理に進み、それ以外の場合（つまり、通常画面である場合）、Ｓ１１０９の処理に進む。
【００６３】
Ｓ１１０８において、表示切替部２３４は、モバイル端末２に表示されている画面を、簡易画面から通常画面へ切り替える。ここでは、図１０に示した操作設定情報のうち、簡易画面に対してピンチイン操作が行われた場合に、通常画面への切替操作を行うことに対応する。
【００６４】
Ｓ１１０９において、表示切替部２３４は、通常画面又は簡易画面において設定されているすべての設定項目をリセットする。ここでは、図１０に示した操作設定情報のうち、簡易画面に対してピンチアウト操作が行われた場合又は通常画面に対してピンチイン操作が行われた場合に、設定されているすべての設定項目をリセットすることに対応する。
【００６５】
例えば、Ｓ１１０９において、表示切替部２３４は、通信制御部２０１に、有線通信Ｉ／Ｆ２１０又は無線通信Ｉ／Ｆ２２０を介して画像処理装置１に対してすべての設定項目のリセット命令を送信させる。
【００６６】
このような処理により、既に通常画面又は簡易画面が表示された状態において、表示中の画面に切り替えるための操作が行われた場合には、各設定項目のリセット処理が行われる。このような制御により、ユーザは表示中の画面への切り替え操作により、その画面への切り替えを再度行うようなイメージでの操作を行うこととなり、それに対する装置の応答として、表示中の画面に切り替えられた当初の状態、即ち、各設定項目が初期値の状態に復元されるため、ユーザにとって直感的な操作を提供することが可能である。
【００６７】
なお、本実施形態においては、ピンチアウト操作及びピンチイン操作をジェスチャー操作の具体例として説明したが、これらに限定されるものではない。例えば、画面上でＬ字を描くドラッグ操作や、丸を描くドラッグ操作等、様々なジェスチャー操作を、通常画面と簡易画面との切り替えのための予め定められた操作として用いることが可能である。
【００６８】
また、上記実施形態においては、ジェスチャー操作に基づいて通常画面と簡易画面との切り替えを行う態様について説明したが、ジェスチャー操作に限ったものではない。ここで、ジェスチャー操作とは、画面上の位置に関わらず、予め定められた軌跡をドラッグする操作であり、その軌跡はシングルタッチに関わらずマルチタッチの軌跡も用いることが可能である。このような操作は、通常の画面に対する操作として用いられない操作であるため、特殊な命令を入力するための操作として用いられる。
【００６９】
これに対して、通常用いられない操作であって、他の操作と区別可能な操作であれば、予め定められた軌跡をドラッグするジェスチャー操作以外の操作であっても、通常画面と簡易画面との切り替えを行うために予め定められた操作として用いることが可能である。例えば、１点をタップする操作はボタン押下などで頻繁に用いられる操作であるが、２点、３点を同時にタップする操作は、用いられることが少ない。
【００７０】
したがって、複数点に対する単純なタップ操作を、通常画面と簡易画面との切り替えを行うために予め定められた操作として用いてもよい。この他、ジェスチャー操作以外の特別なタッチ操作としては、１点をタッチし続けた状態で他の位置をタップする操作等が考えられる。
【００７１】
なお、本実施形態においては、情報処理端末は、画像処理装置１とは独立して制御されるモバイル端末２である場合を例として説明したが、画像処理装置１が有するジェスチャー操作を受け入れるタッチパネル等の操作部であってもよい。
【符号の説明】
【００７２】
１  画像処理装置
２  モバイル端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  通信制御部
１０４  画像処理部
１０５  操作表示制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  有線通信Ｉ／Ｆ
１９０  無線通信Ｉ／Ｆ
２００  コントローラ
２０１  通信制御部
２０２  操作制御部
２０３  表示制御部
２１０  有線通信Ｉ／Ｆ
２２０  無線通信Ｉ／Ｆ
２３０  モバイル制御部
２３１  操作受付部
２３２  画面情報取得部
２３３  操作設定情報
２３４  表示切替部
【先行技術文献】
【特許文献】
【００７３】
【特許文献１】特開２０１１−１７０５７４号公報
【図１】
2014175918.tif 000003
【図２】
2014175918.tif 000004
【図３】
2014175918.tif 000005
【図４】
2014175918.tif 000006
【図５】
2014175918.tif 000007
【図６】
2014175918.tif 000008
【図７】
2014175918.tif 000009
【図８】
2014175918.tif 000010
【図９】
2014175918.tif 000011
【図１０】
2014175918.tif 000012
【図１１】
2014175918.tif 000013